(57)【特許請求の範囲】
【請求項１】
隣接する縦葺き外装材の接続部の屋内側に樋部又は樋部材を設けてなる建築物の外装構造にあって、
前記縦葺き外装材によって構成される外装面の全面に亘って、その乾燥塗膜が外装材の伸縮に追従できる程度の伸縮性と防水性とを有するアクリル系水性弾性防水塗料、カルボキシ変性スチレンブタジエン系水性弾性防水塗料、アスファルト系水性弾性防水塗料から選ばれる弾性防水塗料を、ガラス繊維、セラミックス繊維ポリエステル繊維、アクリル繊維、ポリ塩化ビニル系繊維、ビニロン繊維、ナイロン繊維、ポリプロピレン繊維、不織布から選ばれる繊維シートに含浸又は塗布して成る弾性防水シートにより連続する弾性防水層を形成したことを特徴とする建築物の外装構造。
【請求項２】
弾性防水層は、防滑性を有することを特徴とする請求項１に記載の建築物の外装構造。
【請求項３】
外装材によって構成される外装面が平坦であり、平坦状の外装構造が形成されることを特徴とする請求項１又は２に記載の建築物の外装構造。
【請求項４】
隣接する縦葺き外装材の接続部の屋内側に樋部又は樋部材を設けてなる建築物の外装構造の施工方法にあって、
複数の外装材を接続施工した後、その乾燥塗膜が外装材の伸縮に追従できる程度の伸縮性と防水性とを有するアクリル系水性弾性防水塗料、カルボキシ変性スチレンブタジエン系水性弾性防水塗料、アスファルト系水性弾性防水塗料から選ばれる弾性防水塗料を、ガラス繊維、セラミックス繊維ポリエステル繊維、アクリル繊維、ポリ塩化ビニル系繊維、ビニロン繊維、ナイロン繊維、ポリプロピレン繊維、不織布から選ばれる繊維シートに含浸又は塗布して成る弾性防水シートを接着して外装材によって構成される外装面の全面に亘って連続する弾性防水層を形成することを特徴とする建築物の外装構造の施工方法。
【発明の詳細な説明】
【０００１】
【発明の属する技術分野】
本発明は、建築物の屋根や壁といった外装構造にあって、複数の外装材によって構成される外装面を連続する弾性防水層で被覆し、耐候性及び耐久性を向上させた建築物の外装構造及び施工方法に関する。
【０００２】
【従来の技術】
近年、建築物の外装構造として、隣接する縦葺き外装材の接続部の屋内側に樋部材を添設する構造が数多く提案されている。
例えばこれらの構造としては、特公平１−５２５４０号公報、特公平７−３９７１８号公報、特公平８−６４０９号公報等に記載される外装構造が知られているが、このような構造では、外装材の側縁間を被覆するカバー部材と外装材との隙間、或いは隣接する外装材どうしの隙間からの浸入水を、外装面の屋内側に添設された樋部材で受け止めて軒側に排出する構造である。そのため、外部は強風雨のような高い圧力を伴う悪気象条件でも、構造内部の樋部材空間はこのような圧力を殆ど受けることがなく、円滑な排水を行うことができるという特性を有している。
【０００３】
【発明が解決しようとする課題】
しかしながら前記従来の外装構造では、以下のような問題があった。
即ち、風雨等により木の葉や枝、塵、埃等が外装面に頻繁に飛来してくるような環境の建築物では、経年の使用により浸入水とともに微細な木の葉や枝、塵、埃が樋部材内に浸入し、排水面に堆積することがある。そして、排水面の堆積物は排水を妨げる抵抗物となる（樋部材素材の粗度係数を大きく低下させる）ので、所期の排水性が損なわれる。
また、表面形状が平坦状の外装材の場合、その裏面にバックアップ材が敷設されていて外装面上を歩行できる歩行屋根として好適であるが、縦葺き外装材の素材として一般に薄膜のプレコート材が用いられるため、歩行者の靴に付いた砂粒や小石で擦り傷が生じ、地金が表出して錆等の腐食の原因となったり、塗膜の剥離を招きやすいという問題がある。尚、前記プレコート材はカラーコイルメーカーでロールコートされるため、品質に優れるが、塗膜厚は一般的に数十ミクロンしかない。
さらに、カバー部材と外装材との隙間、或いは隣接する外装材どうしの隙間を覆うように部分的に防水シートを貼着する構造も一部提案されているが、このような構造では防水シートと外装面との接着性が完全でなければ問題を解決することができず、接着作業に雨仕舞い性が依存するものであった。また、外装材の伸縮に追従できず、亀裂を発生させたり剥離する等の問題を生じて結局雨仕舞い性を向上することができなかった。さらに、防水シートと外装材の両方に化粧性が求められる構造であるものの、素材が異なる（外装材表面の塗料バインダーとシートを構成する樹脂成分との相違）ため、色を一致させることが極めて困難であり、しかも経年に伴う退色、変色によって結局異なる色となるので、継ぎ当て状の外観となり意匠性を著しく損ねるものであった。
【０００４】
【課題を解決するための手段】
本発明は上記に鑑み提案されたもので、隣接する縦葺き外装材の接続部の屋内側に樋部又は樋部材を設けてなる建築物の外装構造にあって、前記縦葺き外装材によって構成される外装面の全面に亘って、その乾燥塗膜が外装材の伸縮に追従できる程度の伸縮性と防水性とを有するアクリル系水性弾性防水塗料、カルボキシ変性スチレンブタジエン系水性弾性防水塗料、アスファルト系水性弾性防水塗料から選ばれる弾性防水塗料を、ガラス繊維、セラミックス繊維ポリエステル繊維、アクリル繊維、ポリ塩化ビニル系繊維、ビニロン繊維、ナイロン繊維、ポリプロピレン繊維、不織布から選ばれる繊維シートに含浸又は塗布して成る弾性防水シートにより連続する弾性防水層を形成したことを特徴とする建築物の外装構造、及びその施工方法を提案するものである。
尚、本発明における縦葺き外装材は、建築物の屋根や外壁に用いられる縦葺き屋根板材や縦張り外壁材であって、より具体的には瓦棒、折板、サイディングである。
【０００５】
【発明の実施の形態】
本発明における弾性防水層としては、種々の構成のものを用いることができるが、防滑性を有するものが好ましい。
また、この弾性防水層は、外装材の伸縮に追従できる程度の伸縮性と防水性とを有する弾性防水シートである。
【０００６】
予めフィルム状に形成された弾性防水シートを外装面の全面に亘って接着することにより弾性防水層が形成されるものであって、具体的な接着方法については公知の熱融着、接着剤、粘着剤、溶剤による溶着等で固定する等どのような方法を採用してもよい。また、外装面のうち折曲部等にも弾性防水シートが十分に密接するように圧搾空気等を噴出しながら接着するようにしてもよい。さらにその際、この弾性防水シートは外装面の全面に亘って敷設されるので、例えば接着剤や粘着剤を全面に塗布しなくてもよい。
【０００７】
前述のように前記弾性防水シートとしては、外装材の伸縮に追従できる程度の伸縮性と防水性とを有する以下の構成のシートを用いることができる。
【０００８】
・繊維シートを支持体とする弾性防水シート
繊維シートのようにそれ自体は防水性を有しない支持体に例えば後述する各種の弾性防水塗料等を含浸させたり塗布する等して弾性防水シートとする。この場合、予め含浸処理を施した後に適宜固定手段により外装面に固定するようにしてもよいし、外装面に支持体を被覆した後に前記各種の弾性防水塗料等を塗布してその場で含浸するようにしてもよい。後者の場合、前記各種の弾性防水塗料等は接着剤の機能をも果たすものとなる。
前記繊維シートとしては、ガラス繊維、セラミックス繊維（シリカアルミナ系繊維）等の無機質系繊維、ポリエステル繊維、アクリル繊維、ポリ塩化ビニル系繊維、ビニロン繊維、ナイロン繊維、ポリプロピレン繊維、不織布等の合成繊維の１種以上からなる繊維質シートを用いることができる。
【０００９】
前記弾性防水塗料としては、その乾燥塗膜が外装材の伸縮に追従できる程度の伸縮性と防水性とを有する点を除いて特に限定するものではないが、例えば以下の構成の塗料を用いることができる。
・アクリル系水性弾性防水塗料
アクリル系樹脂エマルジョンに、ＳＢＲラテックス、ポリ酢酸ビニル、エチレン・酢酸ビニル共重合体等の合成樹脂、二酸化チタン、炭酸カルシウム、水酸化アルミニウム等の無機体質顔料、分散剤、消泡剤、増粘剤、乳化剤、可塑剤、湿潤剤、着色顔料、滑石パウダー、ガラスビーズ、シリカフラワー、セラミック粉等の無機微粉末、ホワイトスピリット、防黴剤、防湿剤、か焼アルミナ、マイカ、カオリン、ドロマイト、タルク、酸化亜鉛等の無機材、酸化鉄炭化水素、エチレングリコールモノブチルエーテル等の各種添加剤を適宜に配合して調製することができる。
上記のアクリル系樹脂エマルジョンとしては、アクリル酸、メタクリル酸又はこれらのエステルの（共）重合体、或いはスチレンや酢酸ビニル等のビニル系モノマー等の共重合可能な他のモノマーとの共重合体等を用いることができる。また、このアクリル系樹脂エマルジョンにセメントやフィラーを配合してポリマーセメントエマルジョンとしてもよい。尚、このアクリル系（共）重合体は、Ｔｇ（ガラス転移点）が−１０〜−６０℃程度のものを使用するので、このアクリル系水性弾性防水塗料は、防水性能及び高伸張性（弾性）を有し、耐水性、耐久性、耐折り曲げ性、クラック追従性、経済性も優れている。
【００１０】
・カルボキシ変性スチレンブタジエン系水性弾性防水塗料
カルボキシ変性スチレンブタジエン共重合体（ＣＳＢＲ）、メタクリル酸シクロヘキシル共重合体、脂肪酸石鹸等からなる複合ポリマーエマルジョンに、酸化珪素（珪砂）、酸化カルシウム、酸化鉄（鉄粉）、酸化亜鉛（亜鉛華）、グリシン、フライアッシュ、セラミック粉等を混合して調製される。さらに、前記アクリル系水性弾性防水塗料において記載した各種添加剤等を添加するようにしてもよい。また、必要に応じてセメント、砂からなるモルタルを配合するようにしてもよい。
このＣＳＢＲ系塗料は、乾燥膜厚が最低１．１ｍｍ程度となるように塗装され、前記アクリル系水性弾性防水塗料と同様に、鉄や亜鉛メッキ面等に対する接着性に優れ、また伸縮性にも優れているため外装材の伸縮にも十分に追従することができ、さらに防水、防錆、弾力を付与させる。
【００１１】
・アスファルト系水性弾性防水塗料
アスファルト乳剤、アスファルト乳剤にポリマーエマルジョン、ポリマーセメント、水性ポリウレタン系樹脂と珪砂等の砂状粒子を混合して調製される。
このアスファルト系水性弾性防水塗料は、前記ポリマー系の水性防水塗料と同様に外装材の伸縮に追従するが、前記ポリマー系の水性防水塗料に比べて伸縮性や追従性では劣る。しかし、前記ポリマー系の水性防水塗料に比べて強度特性については優れている。
【００１２】
尚、これらの各弾性防水シートに防滑性を付与するには、目の粗い繊維シートの一側面に前記各種の弾性防水塗料を塗布し、繊維シートの多数の隙間を通して弾性防水塗料を繊維シートの他側面より突出させて多数の小突起を形成してもよい。
【００１３】
本発明におけるその他の構成については特に限定するものではなく、どのような外装構造、構成部材を採用してもよい。
例えば、外装材は、比較的安価な防蝕メッキを施した鋼板でよいが、チタン合金板、ステンレス鋼板、アルミ合金板、表面化粧鋼板、ラミネート鋼板、銅板、真鍮板、鉛板等の公知の金属素材を用いてもよい。尚、本発明では、前記の弾性防水層を外装面の全面に亘って形成する構成であって化粧性は基本的に外装材に求められないため、外装材としては施工までの間の品質低下を生じない程度の表面処理（例えば防錆処理など）を行ったものを用いることができる。
また、この外装材及び外装構造は、その形状や接続、固定方式についても特に限定するものではなく、従来公知の嵌合式、重合式、係合式等のいずれの方式のものでも良い。
【００１４】
本発明の建築物の外装構造は、弾性防水層を外装面の全面に亘って設けたので、その弾性により弾性防水層は外装材の熱伸縮に対応して亀裂を発生させることも外装面から剥離することもなく、雨水やその他の外的影響から外装面を保護することができる。また、弾性防水層の存在により、外装材の温度上昇が緩和され、外装材の熱伸縮量が抑制されるので、外装材と固定部材等との摩耗が減少し、長期的安全性が向上する。さらに、この弾性防水層は、従来のプレコート材の塗膜に比較して厚肉に形成されるので、極めて耐候性、耐食性に優れる。したがって、本発明の外装構造は、長期に亘って美観を維持するものとなる。
【００１５】
また、弾性防水シートで弾性防水層を形成するので、例えば接着強度を低く設定（相対的にシートの破断強度を大きくする）して局部的に破損する箇所が多くなったらシートを強制的に剥離して新しいシートを接着するようにしてもよい。
【００１６】
特に隣接する縦葺き外装材の接続部の屋内側に樋部又は樋部材を設けた外装構造では、前記のように雨水の浸入に伴って微細な木の葉や枝、塵、埃等が樋部や樋部材に浸入して堆積するという問題があったが、本発明では前記の弾性防水層によって微細な木の葉や枝、塵、埃等の浸入が防止されるので、樋部材の排水性の低下を防止することができる。
特に内部に樋部又は樋部材を設ける場合、経年の使用により弾性防水層に局部的な破損が生じたり、施工不良箇所があっても樋部又は樋部材が設けられているので、雨仕舞い性能が確保されるものとなる。
【００１７】
【実施例】
以下、本発明を図面に基づいて説明する。
【００１８】
図１、図２には、外装材１の一部に樋部１６を設ける態様、図３、図４、図５には、外装材１とは別部材の樋部材２を設ける態様を示した。
また、図１、図３、図４の弾性防水層３は弾性防水塗料により形成された参考例で、図２、図５の弾性防水層３は弾性防水シートである実施例である。
【００１９】
図１及び図２に示す各外装構造は、一方の側縁に、平面部１１から外方へ延在する折り返し片状の重合部１２を備えると共に該重合部１２の下方に係止部１３を備え、他方の側縁に被重合部１５を備えると共に該被重合部１５の下方に樋部１６を備える外装材（縦葺き屋根板）１を用いて施工した表面（外装面）が平坦な外装構造（屋根構造）である。図中、４は外装材１の樋部１６の外側壁面に跨がる抱持部４１を備えると共に被係止部４２を備える吊子部材であり、５は平面部１１の裏面に敷設されるバックアップ材である。このバックアップ材５は外装材１と一体に敷設してもよい。そして、外装材１の係止部１３を他方の外装材１の樋部１６内で吊子部材４の被係止部４２に係合させると共に重合部１２と被重合部１５を重合させて樋部１６を覆うように接続した構成である。
【００２０】
図１の外装面の全面に亘って形成される弾性防水層３は、外装面を十分に洗浄した後、アクリル系樹脂（固形分）を３０〜５０重量％、好ましくは３５〜４２重量％、酸化チタンを２．５〜５重量％、好ましくは３〜５重量％、酸化鉄を３〜４重量％、好ましくは３〜３．６重量％、炭酸カルシウムを８〜１５重量％、好ましくは８〜１３重量％を配合した水性弾性エマルジョン塗料（ハイ−ＦＸ，株式会社ハイウッドシステム製）を塗装することが好ましい。この弾性防水塗料は、乾燥膜厚が最低１．３ｍｍ程度となるように塗装され、高伸張性（伸張率５００％以上）、耐水性（透水性０．０４ｍｌ）、クラック追従性等の特性が何れも優れ、しかも水性であるにもかかわらず、下塗り錆止め塗料やプライマーを必要とすることなく腐食性素材等に直接塗布することができ（付着強度２５ｋｇｆ／ｃｍ2）、さらに防錆効果をも発揮する。
また、上記の水性弾性エマルジョン塗料の塗装表面には、アクリル系樹脂６８〜８８重量部と、消泡剤１．５〜０．２重量部と、流動加湿成分１〜０．２２重量部と、防湿剤１〜０．０３３重量部と、水４〜０．５重量部と、可塑剤３〜０．６２重量部と、防黴剤１〜０．１重量部と、顔料分散剤１〜０．１５重量部と、酸化チタン８〜１．４５重量部、炭酸カルシウム９〜１６重量部、か焼アルミナ９〜１６重量部、マイカ９〜１６重量部、カオリン９〜１６重量部、ドロマイト９〜１６重量部、タルク９〜１６重量部、酸化亜鉛９〜１６重量部、炭化水素２〜０．５重量部、エチレングリコールモノブチルエーテル３〜０．２５重量部からなる仕上げ塗料による塗装（膜厚１００ミクロン程度）を用いると、特に伸縮性に優れ、亀裂等の発生が確実に防止されるものとなる。
図２の外装面の全面に亘って形成される弾性防水層３は、予め目の粗いアクリル繊維シートの一側面に前記アクリル系弾性防水塗料を塗布し、繊維シートの多数の隙間を通して他面側から塗料を突出させ、多数の小突起を形成した。このシートの小突起が形成された面を上面にし、同じ塗料を接着剤として外装面に塗布しながらシートを外装面に敷設、接着した。
【００２１】
図３、図４に示す各外装構造は、前記図１、図２の各外装構造と同様に表面（外装面）が平坦な外装構造（屋根構造）であるが、外装材１と別部材の樋部材２が配設され、外装材１，１間に樋部材２を塞ぐカバー部材６が配設される構成であり、図３では樋部材２を跨ぐように吊子部材４が固定され、図４では樋部材２自体が吊子部材４を兼ねる構成である。尚、図３における７は外装材１の側縁を樋部材２の内部で固定する固定金具である。
図３の外装面の全面に亘って形成される弾性防水層３は前記図１と同様の水性弾性防水塗料を用いてもよいが、防滑性を付与する目的で粒径５０〜１５００ミクロンのガーネットと、水硬性セメントと、アクリル系合成樹脂を含有する水性エマルジョンとを含有するアクリル系弾性防水塗料（塗料配合は以下に示した）を用いてローラ塗り等により乾燥膜厚１．５ｍｍ程度となるように塗布して形成してもよい。このアクリル系水性弾性防水塗料による弾性防水層３は、前記のように防滑性を付与するばかりでなく、ハンマーショックで剥離が起こらない程の高い耐衝撃性も付与し、高い接着性（４６ｋｇｆ／ｃｍ2）、耐摩耗性、圧縮強度、曲げ強度等においても優れ、さらに防錆効果をも発揮する。
（塗料配合）
ハイ−ＢＸ  粉体Ａ材（株式会社ハイウッドシステム製）    １ｋｇ
溶剤Ｂ材                                  ２１５ｍｌ
図４の外装面の全面に亘って形成される弾性防水層３は前記図２と同様にアクリル繊維シート及び前記アクリル系弾性防水塗料にて形成した。
このように施工される図示実施例の外装構造は、前記図１、図２の外装構造と全く同様の効果が果たされ、この場合、樋部材２の排水性の低下を防止することができる。
【００２２】
図５に示す外装構造は、凸状の接続部が形成される外装構造であるが、上下に分割される固定具（吊子部材）４の間に樋部材２が受止される構成である。
図５の外装面の全面に亘って形成される弾性防水層３は前記図２と同様にアクリル繊維シート及びアクリル系弾性防水塗料にて形成したが、シートの貼着に際しては圧搾空気を用いて十分に密着するようにした。
【００２３】
このように施工される図２及び図５の外装構造は、弾性防水層を外装面の全面に亘って設けたので、雨水やその他の外的影響から外装面（構造）を保護することができ、長期に亘って美観を維持するものとなる。
また、この外装構造は、重合部１２と被重合部１５とが重合して樋部１６を覆う構造であるため、基本的に微細な木の葉や枝、塵、埃等が樋部１６に浸入しにくいものであり、しかも外装面の全面に亘って弾性防水層３が設けられているので、微細な木の葉や枝、塵、埃等が樋部１６に浸入して堆積することがなく、樋部１６の排水性の低下を防止することができる。
【００２４】
さらに、図２の弾性防水層３の表面には小突起が無数に形成されて何れも防滑性を備えているので、歩行屋根として好適に利用することができる。
【００２５】
また、弾性防水層３の存在により、外装材１の急激な温度変化が緩和され、外装材１の熱伸縮量は抑制される。その結果、外装材１の熱伸縮による吊子部材４との摩耗が減少し、長期的安全性が向上する。
【００２６】
以上本発明を図面の実施の形態に基づいて説明したが、本発明は前記実施の形態に限定されるものではなく、特許請求の範囲に記載の構成を変更しない限りどのようにでも実施することができる。
【００２７】
【発明の効果】
以上要するに本発明は、伸張性、防水性を有する弾性防水層を外装面の全面に亘って設けたので、その弾性により弾性防水層は外装材の熱伸縮に対応して亀裂を発生させることも外装面から剥離することもなく、雨水やその他の外的影響から外装面（構造）を保護することができ、長期に亘って美観を維持するものとなる。
即ち、弾性防水層の存在により、外装材の急激な温度変化が緩和されるので、この弾性防水層がない場合に比べて外装材の熱伸縮量は抑制される。その結果、外装材の熱伸縮による固定部材等との摩耗が減少するので、長期的安全性が向上する。また、弾性防水層は、プレコート材に比べて厚肉に形成されるので、極めて耐候性、耐食性に優れる。
【００２８】
また、本発明の外装構造は、新設の建築物としての使用は勿論、既設屋根の改修構造としても有用であり、さらに緑化屋根の人工地盤の基礎構造としても有用である。
【００２９】
さらに、隣接する縦葺き外装材の接続部の屋内側に樋部又は樋部材を設けた構成であり、雨水の浸入に伴って微細な木の葉や枝、塵、埃等が樋部や樋部材に浸入して堆積するという従来の問題を解消し、樋部又は樋部材の排水性の低下を防止することができる。
経年の使用により弾性防水層に局部的な破損が生じたり、施工不良箇所があっても樋部又は樋部材が設けられているので、雨仕舞い性能が確保されるものとなる。
【００３０】
また、防滑性を有する弾性防水層を設けた外装構造は、表面形状が平坦状の外装構造にあっては歩行屋根とすることができる。
【図面の簡単な説明】
【図１】  本発明の外装構造の一参考例を示す断面図である。
【図２】  本発明の外装構造の一実施例を示す断面図である。
【図３】  本発明の外装構造の他の一参考例を示す断面図である。
【図４】  本発明の外装構造の他の一参考例を示す斜視図である。
【図５】  本発明の外装構造の他の一実施例を示す断面図である。
【符号の説明】
１  外装材
１６  樋部
２  樋部材
３  弾性防水層
【図１】
0003638887.tif 000002
【図２】
0003638887.tif 000003
【図３】
0003638887.tif 000004
【図４】
0003638887.tif 000005
【図５】
0003638887.tif 000006